Podtech/llm-jp-corpus-v4-ja_patent huggingface dataset:
(57)【要約】【課題】  本考案は、ジュエリーアクセサリーの購入価格に幅を持たせ、贈る者と贈られる者、双方の誕生石をデザイン加工して一つのアクセサリーとし、ジュエリーが持つ本来の輝きを持続させるものである。【解決手段】  本考案はアクセサリーデザイン例（図１）のように購入者の希望価格により決定したデザインに贈る者と贈られる者、双方の誕生石を加工し、図２から図６の各希望アクセサリーに取り付ける。新たな記念日等に、アフターサービスの一環とする誕生石のメンテナンスを行い、希望価格によりデザインを変え、まったく違う形の輝きを持つアクセサリーに変えてゆき、双方の誕生石の美しさを持続する。【選択図】図１
0003137303.tif 000002
【実用新案登録請求の範囲】
【請求項１】
土台となる金属をセレクトし、自分自身の誕生石と贈る者の誕生石をデザイン性のある形に加工し、取り入れて１つのアクセサリーにする、オーダーメイドペアストーンアクセサリー。
【考案の詳細な説明】
【技術分野】
【０００１】  本考案は、自分と相手の誕生石をデザイン加工し一製品にする、アクセサリーに関するものである。
【背景技術】
【０００２】  婚約指輪、ファッションジュエリー等において現在、ダイヤモンドが主流ゆえ高価なものとして扱われ、購買層も限られたり、使用機会も限られることが多いのが現状である。
【考案の開示】
【考案が解決しようとする課題】
【０００３】  価格の高いダイヤモンド加工のアクセサリーであると、様々な条件で限られることが多くなる。加え、自分の誕生石を身近に手にする機会、贈る側の愛情をずっと身近に感じる機会、感動をずっと持ち続ける時が少ないのではないか。自分が手にしたときの感動を身近な時に、身近な記念日に感じていられる事が出来る、それがアクセサリーが輝き続ける本来の姿ではないのだろうか。
【課題を解決するための手段】
【０００４】  本考案は、贈る者の誕生石と贈られる者の誕生石をデザイン性のある形に加工し、二種の石を取り入れたオリジナル加工で様々なアクセサリーの形にしていく。
【考案の効果】
【０００５】  出来る範囲を最大限に生かして加工され形になったアクセサリー品ゆえ、購入者の思い、そして贈られる者の感動は、ジュエリーの価値や価格に関係なく輝き続けるのである。販売側のサービスの一環として様々な記念日を提示し、加工を提案し続け、製品への想い・輝きを持続する手助けをしてゆく事で、誕生石本来の美しさを持ち続けていく。
【考案を実施するための最良の形態】
【０００６】  購買層により購入価格ラインがある為、加工技術者（販売側）と購入者とで希望価格の設定をする。価格条件に見合った誕生石の大きさ、デザイン加工の提示、記念日への想いを打ち合わせた後に希望のアクセサリーの形態（指輪・ネックレス・ブレスレット・イヤリング・ピアス・ストラップ）をイメージイラストに表現。その後、決定→加工→完成→受け渡し→アフターサービスという形でずっと販売者⇔購入者の関係を持続していく。
【実施例】
【０００７】  以下、添付図面に従って実施例を説明する。加工するアクセサリー形態は図２から図６に示す５種類である。特定のデザインがない為、一例としてデザインを挙げる。▲１▼は土台となる金属で加工するものはプラチナ・金・白金・銀の４種類から選ぶ。▲２▼は贈る者の誕生石である。価格、石の性質によりデザインを決定していく。▲３▼は贈られる者の誕生石である。▲３▼も▲２▼と同様、価格や石の性質によりデザインを決定していく。
【図面の簡単な説明】
【０００８】
【図１】  本考案のデザインの一例である。
【図２】  本考案を取り入れた指輪のデザイン例である。
【図３】  本考案を取り入れたブレスレットのデザイン例である。
【図４】  本考案を取り入れたピアス（イヤリング）のデザイン例である。
【図５】  本考案を取り入れたストラップのデザイン例である。
【図６】  本考案を取り入れたネックレスのデザイン例である。
【符号の説明】
【０００９】  ▲１▼  アクセサリー本体
▲２▼  デザイン加工された贈る側の誕生石
▲３▼  デザイン加工された贈られる側の誕生石
【図１】
0003137303.tif 000003
【図２】
0003137303.tif 000004
【図３】
0003137303.tif 000005
【図４】
0003137303.tif 000006
【図５】
0003137303.tif 000007
【図６】
0003137303.tif 000008
(57)【要約】      （修正有）【課題】食品用保温容器は器具上部に開閉蓋が設けられていて、この天蓋部及び、容器本体と蓋部の開閉部分からの放熱があり、この放熱を遮断することで保温と省エネ節電する。【解決手段】保温シートは、上層にアルミ蒸着フイルム５で下層に発泡ポリエチレンシート６で構成されている。この保温シートをキャップ形状の保温キャップ１とするもので、保温キャップ１の筒体下部は着脱するための開口部３を設け、筒体の天板部分にドーム状の天蓋部２を熱融着した構造の保温キャップ１とする。保温キャップ１を電気保温ポット、保温電気釜、魔法瓶タイプの保温容器へ容器の上から被覆することで放熱を遮断する。【選択図】図１
0003137308.tif 000002
【実用新案登録請求の範囲】
【請求項１】
保温キャップ（１）の素材は、市販の保温シートで上層にアルミ蒸着フイルム（５）で下層に発泡ポリエチレンシート（６）で構成されている、該保温シートをキャップ形状の保温キャップ（１）とするもので、該保温キャップ（１）の筒体下部は着脱するための開口部（３）を設け、筒体の天板部分にドーム状の天蓋部（２）を熱融着した構造とする、該保温キャップ（１）を電気保温ポット、保温電気釜、、魔法瓶タイプの保温容器へ容器の上から被覆すると、放射熱及び温熱空気の上昇対流を遮断し保温する効果があり、省エネ節電効果があることを特徴とする保温キャップ。
【請求項２】
該保温キャップ（１）の、天蓋部（１）をドーム状の形状の構造とすると、高温の空気を滞留し保温する構造となり、しかも、簡単に折りたたみ易く収納ができる効果があることを特徴とする請求項１記載の保温キャップ。
【考案の詳細な説明】
【技術分野】
【０００１】  本考案は、食品保温容器に被覆し保温する構造の被覆物体に関する。
【背景技術】
【０００２】    保温シートを用いたプラスチック製保温保冷袋に関する文献［特許文献１参照］
保温シートを用いた、お風呂の保温蓋に関する文献［特許文献２参照］
保温覆いで携帯用組容器に関する文献［特許文献３参照］
【特許文献】
【０００３】
【特許文献１】  ［公開番号］特開平１１−５９７３８
【特許文献２】  ［公開番号］特開平８−２３８７１６
【特許文献３】  ［公開番号］特開２００６−３１４５１５
【考案の開示】
【考案が解決しようとする課題】
【０００４】    食品用保温容器は器具上部に開閉蓋が設けられている、この天蓋部分、及び、容器本体と蓋部の開閉部分からの放熱がある、この放熱を遮断することで保温と省エネ節電する。
【課題を解決するための手段】
【０００５】  請求項１記載の保温キャップ１の素材は市販の保温シートで上層にアルミ蒸着フイルム５で下層に発泡ポリエチレンシート６で構成されている、この保温シートをキャップ形状の保温キャップ１とするもので、該保温キャップ１の筒体下部は着脱するための開口部３を設け、筒体の天板部分にドーム状の天蓋部２を熱融着した構造の保温キャップ１とする、該保温キャップ１を電気保温ポット、保温電気釜、、魔法瓶タイプの保温容器へ容器の上から被覆することで放射熱及び温熱空気の上昇対流を遮断し保温する効果があり、省エネ節電効果があることを特徴とする保温キャップ１とした。【０００６】  請求項２は、保温キャップ１の天蓋部２をドーム状の形状にすることで高温の空気を滞留できる構造となり、しかも、簡単に折りたたんで収納ができる構造の請求項１記載の保温キャップとした。
【考案の効果】
【０００７】  本考案の、保温キャップ１を、保温電気ポット、保温電気釜、、魔法瓶タイプの保温容器に容器の上から被うと保温効果と遮熱効果があり省エネ効果と節電効果があり更に美観も良い効果がある。
【考案の実施形態】
【０００８】  図１は本考案の保温キャップ１で実施形態を示す斜視図であり、保温キャップ１の筒体下部は着脱するための開口部３を設け、筒体の天板部分にドーム状の天蓋部２を熱融着した状態を示す。
【０００９】  図２は、本考案の、保温キャップ１の断面図を示し、その素材は、市販の保温シートで内層に発泡ポリエチレンシート６、外層はアルミ蒸着フイルム５で構成されていることを示す。
【００１０】  保温キャップ１の形状は、円筒状の筒体にドーム状の天蓋部２を熱融着したもので、円筒状の筒体の裾はやや広い開口部３の構造としても良い。
【００１１】  保温キャップ１の、天蓋部２に取っ手４を設けると食品用保温容器から取り外し易くなる。
【００１２】  保温キャップ１の素材は、市販の保温シートを用いアルミ蒸着シート５面を表面に設けるとアルミの光沢があり美観が良い。
【００１３】  保温キャップ１の素材を、市販の保温シートを用い発泡ポリエチレンシート６面を内面に設けることで保温性がある。
【００１４】  保温キャップ１の形状及び大きさは、使用する食品用保温容器の形状に整合する構造とする。
【００１５】  本考案では、保温キャップ１の天蓋部をドーム状の形状としているが、天蓋を平面又は、円錐状としてもよい。
【００１６】  本考案では、保温キャップ１の筒体と天蓋部分を熱溶着した状態で説明しているが、筒体と天蓋が離反もしくは、連結できるよう構成してもよい。
【００１７】  本考案では、容器下部の保温について説明をしていないが、保温キャップ１を容器下部に装着すれば容器下部よりの熱伝導及び輻射熱の放熱を遮温することができる。
【００１８】  本考案では、保温キャップ１の筒体と天蓋を熱溶着方法で説明しているが接着剤による接着にしてもその効果に変わりは無い。
【００１９】  本考案では、保温キャップの素材は市販の保温シートで下層に発泡ポリエチレンシートで上層はアルミ蒸着フイルムで構成されている素材について説明しているが保温性と遮熱性を保有するシート状の素材であれば保温キャップ１として使用する事ができる構成である。
【産業上の利用可能性】
【００２０】  前記は食品用保温容器について記載しているが、食品用保温容器以外でも保温容器に保温シートを被覆することで省エネ効果があり保温効果が持続される効果がある。
【図面の簡単な説明】
【００２１】
【図１】この考案の保温キャップ１の実施例で全体を示す斜視図である。
【図２】この考案の保温キャップ１で鎖線ＡＢの断面図である。
【符号の説明】
【００２２】  １        保温キャップ
２        天蓋部
３        開口部
４        取っ手
５        アルミ蒸着フイルム
６        発泡ポリエチレンフイルム
【図１】
0003137308.tif 000003
【図２】
0003137308.tif 000004
(57)【要約】      （修正有）【課題】見掛けがメタルプレートそっくりの軟質樹脂製の表示具を提供する。【解決手段】アルミフィルムの芯材２１を軟質樹脂２２で上下及び側部において被覆してなり、金属光沢を有するように彩色され、少なくとも１個所で金属固定具４で生地３に対して固定されている。軟質樹脂２２はウレタン樹脂であるのが好ましく、金属固定具４はリベットであるのが好ましい。金属光沢を有するプラスチック用の塗料は塗料会社から市販されており、それらを適宜選択して使用することができる。【選択図】図３
0003137359.tif 000002
【実用新案登録請求の範囲】
【請求項１】
アルミフィルムの芯材（２１）を軟質樹脂（２２）で上下及び側部において被覆してなり、金属光沢を有するように彩色されていること、及び、少なくとも１個所で金属固定具（４）で生地（３）に対して固定されることを特徴とする表示具。
【請求項２】
前記軟質樹脂（２２）がウレタン樹脂である請求項１記載の表示具。
【請求項３】
前記金属固定具が金属リベットである請求項１又は２記載の表示具。
【考案の詳細な説明】
【技術分野】
【０００１】
本考案は、表示具に関し、特に見掛けがメタルプレートそっくりの表示具に関する。本明細書において、表示具としては、ネームプレート、ワッペン、シール、ラベル等が含まれる。
【背景技術】
【０００２】
従来、衣服・カバン・自動車の床マット等に、装飾やメーカー名・商標表示等の目的でメタルプレートが用いられている。メタルプレートは、重厚感があって、高級感を醸し出すのに役立っている。本出願人もそのようなメタルプレートの出願を行ったこともある（下記特許文献１参照）。
【特許文献１】特許第３５９７７４９号
【考案の開示】
【考案が解決しようとする課題】
【０００３】
しかし、金属を使用することにより、それだけ重くなって携帯に不向きとなる。また、固定が不十分であると、プレートのコーナーに体が触れてケガをすることがある。さらに、商品によっては危険物を排除するため、出荷前に検針することがあるが、そのときに不用意に反応してしまい、作業に支障を来すこともある。
【０００４】
本考案は、見掛けはメタルプレートそっくりの軟質樹脂製の表示具を提供することを目的とする。
【課題を解決するための手段】
【０００５】
本考案請求項１の表示具は、アルミフィルムの芯材を軟質樹脂で上下及び側部において被覆してなり、金属光沢を有するように彩色されていること、及び、少なくとも１個所で金属固定具で固定されていることを特徴とする。
【０００６】
本考案請求項２の表示具は、請求項１の表示具において、軟質樹脂がウレタン樹脂であることを特徴とする。
【０００７】
本考案請求項３の表示具は、請求項１の表示具において、金属固定具が金属リベットであることを特徴とする。
【考案の効果】
【０００８】
本考案請求項１，２の表示具は、アルミフィルムの芯材を有するので、重量の点を除き、感触が金属に近くなる。また、金属光沢を有するように彩色されているので、見掛けはメタルプレートそっくりとなる。また、少なくとも１個所でリベットで固定されるので、さらに見掛けがメタルプレートそっくりとなる。それにも拘わらず、実態は軟質樹脂であるので、非常に軽量である。金属固定具を使用しても、この程度の大きさであれば、重量を増やすことにならず、検針器にも反応しないので、問題とはならない。
【考案を実施するための最良の形態】
【０００９】
表示具の大きさや形状は自由であり、その上には装飾やメーカー名・商標等の表示が行われるのが普通である。
【００１０】
金属光沢を有するプラスチック用の塗料は塗料会社から市販されており、それらを適宜選択して使用することができる。
【００１１】
アルミフィルムの芯材を被覆する軟質樹脂としては、例えばウレタン樹脂を使用することができる。
【００１２】
金属固定具としては、リベットやビス、ネジなどを使用することができる。
【実施例１】
【００１３】
以下、添付の図面に基づき、本考案の実施例を説明する。
【００１４】
図１は、本考案の一実施例に係る表示具であるワッペン１の平面図、図２は裏面図、図３は縦断面図である。
【００１５】
このワッペン１の本体２は長円形であり、片面が生地３に対して接着剤により、接着されている。ワッペン本体２は、図３に示すように、アルミフィルムの芯材２１をウレタン樹脂２２で上下及び側部において被覆してなる。アルミフィルムの芯材２１は、図１及び２に点線で表示したように、ワッペン本体２のほぼ全域に及ぶ。
【００１６】
この本体２には、色彩、文字、図形等の装飾が施される。色彩は、なるべく金属光沢に近づける必要があるが、そのようなプラスチック用の塗料は公知である。装飾は平面的な印刷のこともあれば、立体的な刻印のこともある。
【００１７】
このワッペン本体２は、接着剤により生地に付着されているので、本来は必要がないが、メタルプレートらしさを出すため、両端部において金属リベット４で固定されている。
【００１８】
このリベット４は、生地３を挟んで表面部材４１と裏面部材４２をかしめている。裏面部材４２と生地３の間には、補強用のパッキン４３が挟み込まれている。
【図面の簡単な説明】
【００１９】
【図１】本考案の一実施例に係る表示具の平面図である。
【図２】同裏面図である。
【図３】同縦断面図である。
【符号の説明】
【００２０】
１     ワッペン（表示具）
２     ワッペン（表示具）本体
２１   芯材
２２   ウレタン樹脂
３     生地
４     金属リベット
４１   表面部材
４２   裏面部材
４３   パッキン
【図１】
0003137359.tif 000003
【図２】
0003137359.tif 000004
【図３】
0003137359.tif 000005
(57)【要約】      （修正有）【課題】アタッチメントの吸引力を調整可能な筒体を電気掃除機の吸い込みアタッチメントに装着する吸引力の調整具を提供する。【解決手段】電気掃除機の吸い込みアタッチメントＡにおける吸引力の調整具であって、アタッチメントＡの口端全周にわたって、適宜な長さを有するハケの束Ｂを所定間隔で植設するとともに、アタッチメントＡの内周壁に、一端部を嵌着する筒体１を設け、筒体１は、他端に進むに従って開口するテーパ状に形成し、かつ、筒体１の外周には、筒体１の一端部付近から他端に向けてリブ２を複数本、放射状に設け、これら各リブ２を他端付近に所定幅の帯状リング３で覆い、リブ２と帯状リング３とによって各通気部をそれぞれ形成し、また、帯状リング３には、先端部をテーパ状に形成して通穴を有し、かつ、クッション部５とを一体に有するキャップ６を嵌着したものである。【選択図】図１
0003137360.tif 000002
【実用新案登録請求の範囲】
【請求項１】
電気掃除機の吸い込みアタッチメント（Ａ）であって、該アタッチメント（Ａ）の口端全周にわたって、適宜な長さを有するハケの束（Ｂ）を所定間隔で植設したアタッチメント（Ａ）において、
該アタッチメント（Ａ）の内周壁に、一端部を嵌着する筒体（１）を設け、該筒体（１）は、他端に進むに従って開口するテーパ状に形成し、かつ、筒体（１）の外周には、該筒体（１）の一端部付近（Ｃ）から他端（Ｄ）に向けてリブ（２）を複数本、放射状に設け、これら各リブ（２）を他端付近に所定幅の帯状リング（３）で覆い、リブ（２）と帯状リング（３）とによって各通気部（Ｘ）をそれぞれ形成し、また、該帯状リング（３）には、先端部をテーパ状に形成して通穴（４）を有し、かつ、クッション部（５）とを一体に有するキャップ（６）を嵌着することを特徴とする電気掃除機の吸い込みアタッチメントにおける吸引力の調整具。
【考案の詳細な説明】
【技術分野】
【０００１】
この考案は、電気掃除機の吸い込みアタッチメントにおける吸引力の調整具に関する。
【背景技術】
【０００２】
従来、電気掃除機は、ノズル先端に塵埃やゴミ等を吸引するためのアタッチメントが取り付けてあり、このアタッチメントは、掃除する場所や吸引する塵埃・ゴミ等により、それに合った数種類のアタッチメントを設け、これらと取り替え可能に設けられている。
【０００３】
従って、アタッチメントにおいて、ふとんやシーツ等の寝具類の表面に付着した塵埃や、傷を着けたくない物品、例えばパソコンのキーボートの塵埃を掃除する場合や、比較的軟らかい建具、例えば網戸の塵埃を吸引する場合、あるいは、深いくぼみを有する建具の底、例えばサッシの溝内のゴミを吸引する場合には、比較的長いハケを吸引口の口端周囲に設けたアタッチメントが市販されている。
【０００４】
しかし、このアタッチメントであっても、ハケの束で寝具の表面を撫ぜて塵埃を浮遊させて吸引するが、それでも吸引力が強く、シーツ等の寝具に密着してしまい、掃除がし難い場合もあり、また、硬貨等を誤って吸引してしまうことがあり、その都度、電気掃除機を開き、内部にセットされた集塵袋のゴミの中から、硬貨を取り出すことになり、その作業が煩雑であった。
【考案の開示】
【考案が解決しようとする課題】
【０００５】
そこで、この考案は、アタッチメントの吸引力を調整可能な筒体を電気掃除機の吸い込みアタッチメントに装着する吸引力の調整具を開発・提供することにある。
【課題を解決するための手段】
【０００６】
この考案による課題を解決するための手段としては、先端にハケを植毛したアタッチメントにおいて、その内周に嵌着する筒体を設け、該筒体に、吸引される空気量を分散することができる通気部を形成することにより吸引力を分散して調整できる電気掃除機の吸い込みアタッチメントにおける吸引力の調整具である。
【考案の効果】
【０００７】
この考案によると、電気掃除機のノズル先端に装着されるアタッチメントの吸引力を調整することにより、筒体の外周に沿って通気部を形成して、該通気部を介して一部を分散することにより、吸引力を弱めることができ、塵埃等は中央より空気と共に吸引され、通気部は空気のみを吸引するため、不要なものまで吸引せず極めて有益なる効果を奏するものである。
【考案を実施するための最良の形態】
【０００８】
以下、この考案の好適な実施の形態について説明すると、アタッチメントから吸引される空気を、該アタッチメントの全周に通気部を形成して、該通気部を介して一部を吸引して、吸引力を弱めることにより、塵埃等は中央より吸引され、空気のみを通気部から吸引するよう構成されるものである。
【実施例】
【０００９】
この考案の一実施例を図１に基づいて詳細に説明すると、電気掃除機の吸い込みアタッチメントであって、該アタッチメントの口端全周にわたって、適宜な長さを有するハケの束（Ｂ）を所定間隔で植設したアタッチメント（Ａ）において、該アタッチメント（Ａ）の内周壁に、一端部を嵌着する筒体（１）を設け、該筒体（１）は、他端に進むに従って開口するテーパ状に形成し、かつ、筒体（１）の外周には、該筒体（１）の一端部付近（Ｃ）から他端（Ｄ）に向けてリブ（２）を複数本、放射状に設け、これら各リブ（２）を他端付近に所定幅の帯状リング（３）で覆い、リブ（２）と帯状リング（３）とによって各通気部（Ｘ）をそれぞれ形成し、また、該帯状リング（３）には、先端部をテーパ状に形成して通穴（４）を有し、かつ、クッション部（５）とを一体に有するキャップ（６）を嵌着することを特徴とする電気掃除機の吸い込みアタッチメントにおける吸引力の調整具から構成される。
【００１０】
尚、アタッチメントの口端全周にわたって植設したハケの束（Ｂ）の長さ寸法は、５ｃｍ〜１０ｃｍ程度であるが、特に、限定はしない。
【００１１】
また、通気部（Ｘ）は、図面においては筒体の外側に形成したものを示しているが、筒体の内側に形成してもよいものである。
【００１２】
さらに、キャップ（６）は、軟質の樹脂を素材として形成されており、ベローズ状のクッション部（５）を設け、清掃中にアタッチメント（Ａ）の口端部が物が当接しても該クッション部の弾力により緩衝するものである。
【産業上の利用可能性】
【００１３】
この考案の技術を確立し、実施・販売することにより、産業上利用できるものである。
【図面の簡単な説明】
【００１４】
【図１】この考案の一実施例を示す一部欠截側面図である。
【図２】この考案に使用する筒体であって、（ａ）は側面図であり、（ｂ）は正面図である。
【図３】この考案に使用するキャップであって、（ａ）は側面図であり、（ｂ）は正面図である。
【図４】この考案に使用する筒体とキャップとが嵌着された状態の一実施例を示す側面図である。
【符号の説明】
【００１５】
１  筒体
２  リブ
３  帯状リング
４  通穴
５  クッション部
６  キャップ
Ａ  アタッチメント
Ｂ  ハケの束
Ｃ  筒体の一端部付近
Ｄ  筒体の他端
Ｘ  通気部
【図１】
0003137360.tif 000003
【図２】
0003137360.tif 000004
【図３】
0003137360.tif 000005
【図４】
0003137360.tif 000006
(57)【要約】【課題】  従来より靴を確実に足に装着でき足への負担も少ないということで紐付の靴が愛用されているが、紐の通し穴が多いほど運動や作業がしやすく足や体への負担が軽減できるが、使用条件により頻繁に締め直しをしなくてはならなくなおかつ着脱が困難である。【解決手段】  以上の課題を解決するために、本考案の請求項1に記載の紐付き靴着脱具は、一般的に知られ又幅広く誰にでも利用されている靴ベラに、紐の中間部を引っ掛けることの出来る棒を取り付けた紐付き靴着脱具である。また、請求項2で灯具を取り付け、請求項3では鈴を着脱できることを可能とした紐付き靴着脱具である。【選択図】  図１
0003137391.tif 000002
【実用新案登録請求の範囲】
【請求項１】
靴ベラに靴紐を引っ掛けることのできる棒を取り付けた紐付き靴着脱具。
【請求項２】
前記紐付靴着脱具に灯具をつけた事を特徴とする請求項1記載の紐付き靴着脱具。
【請求項３】
前記紐付靴着脱具に鈴をつけた事を特徴とする請求項1記載の紐付き靴着脱具。
【考案の詳細な説明】
【技術分野】
【０００１】
この考案は、紐通し穴が多い靴の着脱に関する。
【背景技術】
【０００２】
従来より靴を確実に足に装着でき足への負担も少ないということで紐付きの靴が愛用されているが、紐の通し穴が多いほど運動や作業がしやすく足や体への負担が軽減できる、が、使用条件により頻繁に締め直しをしなくてはならなくなおかつ着脱が困難である。
【０００３】
上記0002の対策として靴紐を締めたり緩めるための文献が開示されている。
【特許文献１】特開2006-314530号公報
【特許文献２】特開2005-034608号公報
【特許文献３】特開2003-33205号公報
【特許文献２】特開2004-215936号公報
【考案の開示】
【考案が解決しようとする課題】
【０００４】
しかしながら、以上の技術によれば、現在使用中の靴に即利用することは困難であり、これから購入するにしても選べる範囲は限定的であった。
そこで、この考案は、過去現在未来を問わず、紐付の靴ならどんな靴でも簡単に着脱調整が出来る紐付き靴着脱具を提供することを課題とする。
【課題を解決するための手段】
【０００５】
以上の課題を解決するために、本考案の請求項1に記載の紐付き靴着脱具は、一般的に知られ又幅広く誰にでも利用されている靴ベラに、紐の中間部を引っ掛けることの出来る棒を取り付けた紐付き靴着脱具である。また、請求項2で灯具を取り付け、請求項3では鈴を着脱できることを可能とした紐付き靴着脱具である。
【考案の効果】
【０００６】
請求項1の考案では、引っ掛け棒を使うことにより作業途中での靴紐の緩みの修正が簡単になった。
【０００７】
請求項2の考案では、暗がり、特に山歩きで夜になってしまったときなど効果がある。
【０００８】
請求項3の考案では、前記同様山に入るときは熊避けとして取り付ける 。
【考案を実施するための最良の形態】
【０００９】
この考案の実施形態を、図1に示す。
本考案の紐付き靴着脱具を使い靴を履く場合まず図1右の収納状態の状態から3の靴ベラを逆方向に回転させ左の作業状態のように開く、靴ベラを使い靴を履いた後、締め付けの緩い所の紐部分を引っ掛け棒のフックに掛け、握り玉を持って引っ張る。
【００１０】
握り玉1には灯具４が引っ掛け棒２のフック部照射方向に向け取り付けてあるため急に暗い夜道に成っても灯具の先で自由に行動でき動物其の他に遭遇しても適宜に処する事又遭難及び事故など非常事態に際して灯具による救助信号等発信利用可能であり大変便利である。
【００１１】
必要に応じて鈴5を取り付けることが出来る、山歩き、又老人の一人歩きなどに利用でき山道で熊等の遭遇を予防し安心して行動することが出来る。
【図面の簡単な説明】
【００１２】
【図１】本考案の実施例を示す側面図である。
【図２】収納状態拡大図である。
【図３】格使用部品正面図である。
【符号の説明】
【００１３】
1握り玉
2引っ掛け棒
3靴ベラ
4灯具
5鈴
【図１】
0003137391.tif 000003
【図２】
0003137391.tif 000004
【図３】
0003137391.tif 000005
(57)【要約】【課題】    金属製で箱形オリ状の鳥獣類捕獲用のワナは、使用において狩猟法等の許可等を要するが、ワナの形状が開放部を有するものは許可を要さないと規定され、その規格に沿って構成された製品を提供する。【解決手段】    ワナの上部が開口した囲いワナであって、枠体側面の高さを充分に設けると共に、更に開口部には内側に傾斜し絞り込まれた形状をなす枠体を取り付けることによって捕獲した有害獣の逃走を防止するように構成されている。【選択図】  図１
0003137363.tif 000002
【実用新案登録請求の範囲】
【請求項１】
鋼鉄製又はそれ同等若しくはそれ以上の強度を有する枠体素材を用いて箱状の捕獲オリを形成し、その側面に閉鎖式の扉付き開口部を有すると共に、その枠体上部が常時開口状態であることを特徴とするイノシシ用囲いワナ。
【請求項２】
常時開口状態にあるワナ枠体上部に、垂直角度より枠体内側に傾斜して取り付けられた枠体によって、開口部分が枠体側面より幾分絞られた構造であることを特徴とする請求項１に記載のイノシシ用囲いワナ。
【考案の詳細な説明】
【技術分野】
【０００１】
本考案は、有害獣捕獲用の金属製囲いワナで、狩猟法等の法規制を受けない範囲で使用できる移動設置型の捕獲ワナに関する。
【背景技術】
【０００２】
従来より鳥獣類を捕獲するには、狩猟法等の関係法令によって許可された範囲においてのみ、有害獣を生け捕りで捕獲する箱形でオリ状のワナが使用されていた。
【特許文献１】特開２００５−３０４３１６
【考案の開示】
【考案が解決しようとする課題】
【０００３】
中型の有害獣（主としてイノシシ）又は小型の有害獣（キツネ、タヌキなど）は、日本国内における山間部のみならず、最近の山林伐採や宅地開発によって人々の住宅域や都市部においても時折侵入が見られており、駆除を目的とした捕獲が求められてきた。
【０００４】
しかしながら、ワナや銃による有害獣の捕獲については、狩猟法において無許可者の使用が規制されており、たとえ所有者自身の敷地内であっても自由にワナを仕掛けて捕獲することは許されていない。
【課題を解決するための手段】
【０００５】
本考案は、土地所有者が自身の敷地内において使用する場合に限り、有害獣の捕獲を規制している狩猟法に抵触しないワナとして示された構造に沿った製品であって、箱ワナの上部を開口した囲い形オリ状の枠体で構成されるよう手段を講じたものである。
【考案の効果】
【０００６】
この考案は前記のように構成されており、以下に記載のような効果を有する。
【０００７】
旧来の箱ワナと同等な捕獲機能を有しており、狩猟法等の法規制を受けずに土地所有者は自身の敷地において適宜設置・捕獲使用が可能である。
【０００８】
狩猟許可が無くても、自己の所有地内であれば使用可能であり、許可を要さないので狩猟税の納付も必要なく使用できる。
【０００９】
上部開口の囲いワナであっても、側面の枠体の高さが充分に設けられているので、捕獲後の有害獣が本製品である囲いワナ内で飛び跳ねても外部に逃走はできない。
【００１０】
また、本製品である囲いワナの上部開口部には内側に傾斜した枠体が取り付けられており、一旦内部に捕獲した有害獣は更に脱出しにくい構造となっている。
【００１１】
一方、側面開口部には閉鎖式の扉を設けており、囲いワナ内部に進入した有害獣が、当該扉のストッパー解除機構に触れた瞬間に扉が自動的に閉鎖され、進入した有害獣はワナ内部に捕獲される。
【００１２】
また、ワナ枠体完成後に充分な強度が確保できるならば、設置現場組み立て式とすることも可能であり、枠体を一旦解体し山路を移動する場合の可搬性が向上する。
【考案を実施するための最良の形態】
【００１３】
ワナ枠材として、鋼鉄製又はそれ同等若しくはそれ以上の強度を有する素材、具体的にはアルミ合金製、チタン製、カーボンファイバー製などを用いる。
【００１４】
囲いワナの枠体には格子状や網目状などのオリが張られ、捕獲した有害獣が再び外部へ逃走できないように保持する目的をもって構成されている。
【００１５】
側面開口部には、一般的に蓋状の別個の枠体が浮動状態でワイヤーによって吊られており、これがストッパーにより係止される構造で、囲いワナ内に進入した有害獣がストッパーの解除機構に触れると係止されていた枠体が落下して、側面開口部が閉鎖されるようになっている。
【実施例１】
【００１６】
本考案に基づく囲いワナの構造例を示す図１は、本考案製品の全体像を示す。
【００１７】
図１では、上部開口部１が内側に傾斜した枠体２によって絞りが設けられており、捕獲した有害獣が飛び跳ねても脱出しにくい形状となっている。
【００１８】
側面開口部３は、落下式の別個の枠体４によって閉鎖された状態であり、囲いワナ設置の現場においては、上方に引き上げられてストッパー５によって浮動状態にて係止され、ワナ内部へ有害獣を導き入れるように開口された状態となる。
【００１９】
また、図２は本考案製品の短尺面を示しており、側面開口部３および落下式の別個の枠体４をあらわす。
【００２０】
図３は、本考案製品の長尺面を示し、枠体６に格子状のオリ７が張られて、囲いワナを構成する状態をあらわす。
【００２１】
なお、図３に示すように本考案製品の側面の高さは充分に設けられており、更に内側に傾斜した枠体２が上部に取り付けられることによって、捕獲後の有害獣の逃走を防止する。
【産業上の利用可能性】
【００２２】
本考案の製品は、狩猟法に規制されない規格に基づいて製造されており、自己所有地において狩猟許可を得ずとも有害獣駆除をおこなうことができる。
【００２３】
また、本考案製品の枠材をアルミ合金製あるいはカーボンファイバー製など軽量化しても充分な枠体の強度が保たれる素材を利用すれば、設置場所の移動が容易となる利点がある。
【００２４】
更に、本考案製品の底部に専用キャリアーを取り付けることによって、移動時の可搬性が向上する。
【図面の簡単な説明】
【００２５】
【図１】本考案製品の全体像を示す斜視図
【図２】本考案製品の短尺面を示す図
【図３】本考案製品の長尺面を示す図
【符号の説明】
【００２６】
１…上部開口部
２…内側に傾斜した枠体
３…側面開口部
４…落下式の別個の枠体
５…ストッパー
６…枠体
７…格子状のオリ
【図１】
0003137363.tif 000003
【図２】
0003137363.tif 000004
【図３】
0003137363.tif 000005
(57)【要約】      （修正有）【課題】ＬＥＤ発光部の点滅が画像の演出をする点滅発光性のあるマウスパッドを提供する。【解決手段】下地素材２から成る下層部Ａ、ＵＳＢ電源機能および印刷した基盤フィルム３に薄形ＬＥＤ４を配置しかつ点滅機能を有する発光部から成る中間層部Ｂ，および印刷しかつコーティング処理した画像フィルム５から成る上層部Ｃから成るもので、下層部は滑り止め機能のある材質から成る。【選択図】図１
0003137366.tif 000002
【実用新案登録請求の範囲】
【請求項１】
下地素材から成る下層部と，ＵＳＢ電源機能及び基盤フィルムに点滅機能を有するＬＥＤを配置した発光部から成る中間層部と，画像フィルムから成る上層部とから成ることを特徴とするマウスパッド。        
【考案の詳細な説明】
【技術分野】
【０００１】
本考案は、マウスパッドに関するものである。
【背景技術】
【０００２】
現在販売され広く使用されているマウスパッドとしては、パッド面の素材の違い、色彩の違い、形状や表面印刷の違いなどのものは存するが、ＵＳＢ電源による発光点滅機能性のあるマウスパッドはまだ見当たらない。即ち、現在インターネット上で市販されているＵＳＢハブパッドステルスは、発光を飾りとして使用しているだけのものである。
【０００３】
また、公知文献としては次のようなものが見られるが、これも発光性はあるものも点滅するマウスパッドではない。
【０００４】
【特許文献１】特開２００２−１４０１６１号公報
【考案の開示】
【考案が解決しようとする課題】
【０００５】
そこで、本考案はマウスパッドを改良し、ＬＥＤ発光部の点滅が画像の演出をする点滅発光性のあるマウスパッドを提供することを目的とするものである。
【課題を解決するための手段】
【０００６】
本考案のマウスパット全体の構造は、下地素材から成る下層部、ＵＳＢ電源機能及び基盤フィルムにＬＥＤを配置しかつ点滅機能を有する発光部から成る中間層部，及び画像フィルムから成る上層部から成るものである。
【考案の効果】
【０００７】
本考案の構成から成るマウスパッドは、パソコンの作業環境に癒し効果を与えることができ、オペレータの疲労度をよく緩和し、作業効率を向上することに貢献することになる。
【０００８】
また、発光点滅が画像の表情をより鮮明に演出することができるようになる。
【考案を実施するための最良の形態】
【０００９】
オペレータは本パソコンを使用中にマット上層部の透明な画像フィルムを通して中層部のＬＥＤ部が点滅発光することによって、オペレータの作業環境を良好なものにし、パソコン作業を円滑に行えるようになる。
【実施例】
【００１０】
本マット部１は、下地素材２から成る下層部Ａ，ＵＳＢ電源機能及び基盤フィルムに点滅機能を有する薄形ＬＥＤ部４を配置した発光機能から成る中間層部Ｂ，画像フィルム５から成る上層部Ｃの三重構造から成るものである。
【００１１】
前記下地素材２から成る下層部Ａは、滑り止め機能のある材質から構成する。
【００１２】
前記中間層部Ｂは、ＵＳＢ電源機能及び印刷した基盤フィルム３と薄形ＬＥＤ４から成るが、この中間層部ＢにＬＥＤ点滅機能を内蔵する。
【００１３】
前記上層部Ｃの画像フィルム５には印刷しかつマット肌コーティング処理をする。
【００１４】
６，６はＵＳＢジャックである。
【図面の簡単な説明】
【００１５】
【図１】全体の構成を示した斜視図
【図２】全体の構成を示した説明平面図
【図３】全体の点滅機能を有する電気回路図
【符号の説明】
【００１６】
１                    マット部
２                    下地素材
３                    基盤フィルム
４                    ＬＥＤ部
５                    画像フィルム
【図１】
0003137366.tif 000003
【図２】
0003137366.tif 000004
【図３】
0003137366.tif 000005
(57)【要約】      （修正有）【課題】多彩な音色、音量、音階を出すことができるかんざし鳴子を提供する。【解決手段】鳴子の本体部分に空洞を形成し、空洞の中に小さな木材料を順次増入して、音階を作り出す。また、変形洞を作ることによって、音色、音量を調整する。【選択図】図１
0003137326.tif 000002
【実用新案登録請求の範囲】
【請求項１】
かんざし鳴子本体の内部に変形の空洞を作り表面には球を先端に付けた、バチによって叩き、音色、音量を変えることのできる、かんざし鳴子。
【請求項２】
かんざし鳴子本体内部に一定寸法の木片を順次埋込んで音階を作ることでリズムを生み、多様な曲を奏でることのできるかんざし鳴子。
【考案の詳細な説明】
【技術分野】
【０００１】  本考案は、鳴子の本体部分を変形空洞にし、バチの先端に球を付け本体の叩つ所を一点にすることによって、音色、音量、共に従来型とは根本から異なる作りである。
【背景の技術】
【０００２】  従来型は木製に着色し片方三本の小さなバチによって叩つもので、音色、音量も一調子のものであった。
【考案の開示】
【考案が解決しようとする課題】
【０００３】  現在では、全国的にも知られるようになった、外国にまでも知られている鳴子も、長い年月になり変化を求める時期ともなっている。これらの点を考え一歩進み、一味ちがった音色音量を出すことのできる鳴子を作ることが課題である。これを解決しようとすることである。
【課題を解決するための手段】
【０００４】  本考案は鳴子本体の空洞を変形さすことによって同一の音色又音量でなく個性ある鳴子を作ることによって、変わった音色、音量を又音階を聞くことができて、問題点の解決となる。
【考案の効果】
【０００５】  上述のように本考案は多彩な音色、音量、音階を出すことができるので今までにない、聞く、見る、踊るが多様となり、これまでにない多くの人々の快楽を寄与できて効果は抜群である。
【考案を実施するための最良の形態】
【０００６】  鳴子本体を今までのように強く振らなくても、高音を出すことができ、高齢者から年少弱者にも十分な音色音階を楽しむことも可能又小人数グループにも多数人数グループと同様の音量を出すこともできるので個人での祭り参加を楽しむことができる。
【実施例】
【０００７】  以下添付図面に従って一実施例を説明する。［図３］の７〜１４のように空洞の中に小さな木材料を順次増入していくことによって音階を作り出しができる。個々に音階の異なる鳴子を振ることによってリズム、曲が出せる。今までにない楽しみ方もできる。変形洞も作ることによって音色、音量も調整することもできて、最良の楽しみを生み出せる。
【図面の簡単な説明】
【０００８】
【図１】  かんざし鳴子の全体立面図と変洞内部
【図２】  かんざし鳴子の前面側面後面の立体図
【図３】  かんざし鳴子の音階を表す内面図
【符号の説明】
１  かんざし鳴子立面
２、３  かんざし鳴子の内部
４、５、６  かんざし鳴子前面側面後面図
７〜１４  かんざし鳴子音階分解図
【図１】
0003137326.tif 000003
【図２】
0003137326.tif 000004
【図３】
0003137326.tif 000005
(57)【要約】      （修正有）【課題】安価に製造できるばかりでなく、象牙の優れた音響性や密着性を発揮できる琴柱を提供する。【解決手段】和琴の胴表面に配置され音階を調節するための琴柱において、部分的に異なる素材を接合してなることを特徴とする。少なくとも琴柱頂上部の弦支持部が琴柱本体と異なる材質であることが望ましい。そして、本考案の最大の特徴は、前記弦支持部および／または琴胴との密着部に象牙を使用する。【選択図】図１
0003137325.tif 000002
【実用新案登録請求の範囲】
【請求項１】
和琴の胴表面に配置され音階を調節するための琴柱において、部分的に異なる素材を接合してなることを特徴とする琴柱。
【請求項２】
少なくとも琴柱頂上部の弦支持部が琴柱本体と異なる材質であることを特徴とする請求項１記載の琴柱。
【請求項３】
脚部の琴胴との密着部が琴柱本体と異なる材質であることを特徴とする請求項１または２記載の琴柱。
【請求項４】
前記異なる材質同士の接合形態のすべて或いは一部がアリ継ぎであることを特徴とする請求項１乃至３のいずれかに記載の琴柱。
【請求項５】
前記弦支持部および／または琴胴との密着部が象牙であることを特徴とする請求項１乃至４のいずれかに記載の琴柱。
【請求項６】
前記琴柱本体内部に金属製の重りを配置したことを特徴とする請求項１乃至５のいずれかに記載の琴柱。
【請求項７】
前記重りが鉛からなることを特徴とする請求項６記載の琴柱。
【考案の詳細な説明】
【技術分野】
【０００１】  本考案は、和琴に使用する琴柱の構造に関する。
【背景技術】
【０００２】  和琴の調律においては、琴胴の表面に弦の数だけ琴柱を配置し、弦の張力と弦を支持する琴柱の位置を調節することにより所定の音階を設定している。一般的な琴柱の形状については、特許文献１の図２に示されている。このような琴柱は、弦を支持するだけでなく、弦の振動を琴胴に伝達して共鳴を引き出すという重要な役割を持っている。琴柱の材質としては古来から象牙が用いられ、その硬度や音響伝達性ばかりでなく加工性も優れていることが知られている。【０００３】  しかしながら近年になって、絶滅危惧種を保護するためのワシントン条約により象牙の輸出入が厳しく制限されるようになったため、十七弦琴のような大型琴用の琴柱を一体的に形成できるような大きな象牙を入手することはほとんど不可能な状況になっている。たとえ入手できたとしても、価格が極めて高価になってしまう。【０００４】  このような状況を受けて最近では、アクリロニトリル・ブタジエン・スチレン樹脂や尿素樹脂のようなプラスチックで代替されるようになってきた。しかしながら、このようなプラスチック製は安価に製造できるものの、象牙に比べて弦との密着性が劣りクリアな音が出にくいほか、琴胴との密着性が悪く滑りやすいため音程のズレや音のビリつきが発生する。【０００５】  上記琴胴との密着性を改善するために、特許文献２による琴柱では、琴柱本体の底面に琴胴と接触するための３点の設置点を形成したものが開示されている。しかしながら、このような琴柱では音の伝達が脚部において左右対称ではなくなるため、良好な共鳴が得られにくい。【０００６】
【特許文献】
【特許文献１】特開平６−２５０６４３号公報
【特許文献２】特開平８−３３５０７２号公報
【考案の開示】
【考案が解決しようとする課題】
【０００７】  上記従来技術に鑑みて本考案では、安価に製造できるばかりでなく、象牙の優れた音響性や密着性を発揮できる琴柱を提供することを課題とする。
【課題を解決するための手段】
【０００８】  上記課題を解決するため本考案による琴柱では、和琴の胴表面に配置され音階を調節するための琴柱において、部分的に異なる素材を接合してなることを特徴とする。少なくとも琴柱頂上部の弦支持部が琴柱本体と異なる材質であることが望ましい。【０００９】  また、脚部の琴胴との密着部が琴柱本体と異なる材質であることも好適である。【００１０】  前記異なる材質同士の接合形態のすべて或いは一部がアリ継ぎであることも本考案の特徴である。【００１１】  そして、本考案の最大の特徴は、前記弦支持部および／または琴胴との密着部に象牙を使用することである。【００１２】  前記琴柱本体内部に金属製の重りを配置することもできる。この重りは鉛からなることが特に好適である。
【考案の効果】
【００１３】  本考案による琴柱では、本体の大部分をプラスチック等の素材により形成し、弦支持部および／または琴胴との密着部のみに別の素材、望ましくは象牙を使用することにより、安価に製造できるばかりでなく、象牙の優れた音響性や密着性も維持することが可能となる。また、本体内部に鉛等の重りを配置して琴柱を重くすることにより、安定性が増すのでより象牙の特徴を引き出しやすくなる。
【考案を実施するための最良の形態】
【実施例】
【００１４】  以下、図面に基づいて本考案の好適な実施例について説明する。図１は本考案による琴柱の実施例である。琴柱本体１は、アクリロニトリル・ブタジエン・スチレン樹脂や尿素樹脂のようなプラスチックで形成されている。琴柱の頂上部においては、弦接続溝３を含む弦接続部２は象牙で形成し、アリ継ぎにより琴柱本体１と接合する。ただし、目的は弦との接触部を象牙にすることであるので、図１に示したように弦接続部２全体を象牙で形成するほかに、弦接続溝３の周囲のみを象牙にすることも可能である。アリ継ぎは、接合部材の片側に溝、もう一方に突起を形成し両者を嵌合することにより強固な接合が可能となる。アリ継ぎが望ましいが、これを必ずしも使用する必要はない。【００１５】  さらに、脚部４の両側における琴胴との密着部５にも象牙による部材を使用してある。これにより、琴胴と琴柱の密着性が向上し、ずれたりぐらついたりすることがなくなるため、音のビリつきを防止することが可能となる。【００１６】  また、琴柱本体１内部に鉛製の重り６を仕込むことにより、琴柱の重量を増すことができるので琴柱が安定し、演奏等によって琴柱がずれる危険性も減少できる。音の伝達を考えた場合、本来は弦接続部２から脚部４まで同一の素材が望ましい。上記プラスチックは象牙と密度等が近いので、接合をきちんと行えば音響的な損失は防止することができる。琴柱本体１自体を金属で形成することも可能であるが、そうすると象牙製の弦接続部２や琴胴密着部５との境界における音の伝達に支障が出るため、本体の一部に金属の重りを仕込むことが望ましいのである。【００１７】  以上、本考案の好適な実施例について説明したが、本考案の精神に従ってこのほかに多くの改変がなし得ることはいうまでもない。上記実施例においては、象牙を使用したが、象牙と性質の近いプラスチックやセラミックを使用することもできる。
【産業上の利用可能性】
【００１８】  本考案によれば、象牙製の琴柱と同等の音質を低価格で実現することができる琴柱を提供することが可能となり、琴使用者の経済的負担を軽減できるばかりか、貴重な資源である象牙を有効に利用することができる。
【図面の簡単な説明】
【００１９】
【図１】本考案の実施例を示す琴柱の斜視図である。
【符号の説明】
【００２０】１    琴柱本体
２    弦接続部
３    弦接続溝
４    脚部
５    琴胴密着部
６    重り
【図１】
0003137325.tif 000003
(57)【要約】      （修正有）【課題】魚眼レンズをはじめとする超広角レンズにおいて使用できる画角が広いレンズ前面を保護する特殊なフィルターを提供する。【解決手段】フィルターの形状をドーム型にすることで、１８０度の画角に対応する。フィルターの装着方式はバヨネットフード型とし装着がワンタッチで行える。【選択図】図１
0003137328.tif 000002
【実用新案登録請求の範囲】
【請求項１】
カメラなどの光学機械器具のレンズ前面保護用フィルターにおいて、フィルター部が、ドーム形状をしていることを特徴とする、フィルター。
【請求項２】
請求項１記載のフィルターにおいて、レンズ鏡筒部との取り付け部がバヨネット式の加工がしてあることを特徴とする、請求項１記載のフィルター。
【請求項３】
請求項２記載のフィルターとの取り付け部がバヨネット式の加工がしてあることを特徴とする、カメラなどの光学機械器具用のレンズ。
【請求項４】
請求項３記載のレンズにおいてバヨネット式の加工部分がレンズの鏡筒の外周もしくは、組み込みフードの外周に施されていることを特徴とする、カメラなどの光学機械器具用のレンズ。
【請求項５】
請求項１記載のフィルターにおいて、レンズ鏡筒部との取り付け部がねじ込み式の加工がしてあることを特徴とする、請求項１記載のフィルター。
【請求項６】
請求項５記載のレンズにおいてねじ込み用の加工部分がレンズの鏡筒の外周もしくは、組み込みフードの外周に施されていることを特徴とする、カメラなどの光学機械器具用のレンズ。
【請求項７】
請求項請求項１記載のフィルターにおいて、レンズ鏡筒部との取り付け部がゴムバンドの加工がしてあることを特徴とする、請求項１記載のフィルター。
【考案の詳細な説明】
【技術分野】
【０００１】  この考案はカメラに代表される光学機械器具のレンズ鏡筒の前部にはめ込んで用いるレンズ保護用フィルターに関するものである。
【背景技術】
【０００２】  従来のカメラに取り付けるフィルターのうち、特にアマチュアカメラマンにとって埃や指紋などによりレンズを傷つけるのを防止する為に、プロテクターフィルターをはじめとする各種フィルターが発売されてきた。
【考案の開示】
【考案が解決しようとする課題】
【０００３】  魚眼レンズをはじめとする超広角レンズにおいては画角が広いためフィルターねじが切られておらず、特殊なフィルターも発売されていなかった。
【課題を解決するための手段】
【０００４】  この考案は、従来なかったフィルター構造を提案するもので、フィルターの形状をドーム型にすることで１８０度の画角に対応することを特徴とする。【０００５】  フィルターの装着部は利便性やケラレ防止などの画質維持を考慮して、レンズ筒もしくは組み込みフードの外周にバヨネット式取り付け部を加工することを特徴とする。フィルターはしっかりと装着されれば良く、バヨネット式の代わりにねじ込み式や、レンズ側に加工をしなくても済むゴムバンド式など、この限りではない。
【考案の効果】
【０００６】  この考案は、以上のような構成からなるもので、従来は、超広角レンズに前面保護フィルターが付いていなかった為に、雨天時など取り扱いに注意する必要があったが、この考案により、一般のレンズと同様に扱え、撮影可能範囲が広がったのである。
【図面の簡単な説明】
【０００７】
【図１】この考案にかかわるフィルター及びレンズの分解側面図である。
【図２】この考案にかかわるフィルター及びレンズの組み立て状態の側面図である。
【符号の説明】
【０００８】１  レンズ前面保護用フィルター
１１  レンズ取り付け部バヨネット
２  超広角レンズ本体
２１  フィルター取り付け用バヨネット
２２  レンズ部
２３  レンズフード部
【図１】
0003137328.tif 000003
【図２】
0003137328.tif 000004
(57)【要約】【課題】サッカーフィールドを座標化した印刷物に記述することで、プレイ位置を明確に記録する。【解決手段】プレイの位置を明確化するためにサッカーフィールドを網の目状にエリア分割し、上下左右に座標軸を設けた図を印刷し、記述を容易にする。【選択図】図１
0003137323.tif 000002
【実用新案登録請求の範囲】
【請求項１】
サッカーフィールドを網の目状にエリア分割し、上下左右に座標軸を設け、選手のプレイ位置を明確にさせながら、記録ができるよう工夫した図を印刷したサッカー専用のノート用紙。
【考案の詳細な説明】
【技術分野】
【０００１】本考案は、サッカーフィールドを網の目状に分割し座標軸を設けた図を印刷したノートである。
【背景技術】
【０００２】プレイの記録及び考案の際にプレイ位置を明確に記録する手段がなかったため。
【考案の開示】
【考案が解決しようとする課題】
【０００３】団体スポーツであるサッカーにおいて、チームメートとの連携の確認、指導者の指示を明確に記録すること。
【課題を解決するための手段】
【０００４】プレイの位置を明確化するために、サッカーフィールドを網の目状にエリア分割し、上下左右に座標軸を設けた。
【考案の効果】
【０００５】団体スポーツにおいて重要な、チームプレイの統一・確認・意識の共有化を高めることができる。
【図面の簡単な説明】
【０００６】
【図１】本ノートの表面図である。裏面は表面と同一のため省略する。
【図１】
0003137323.tif 000003